(57)【要約】      （修正有）【課題】係止部材と延出ブロックとの固定力を向上させた側溝ブロックを提供する。【解決手段】側溝部を有する本体ブロック１０と、当該本体ブロック１０の外側面から延出する延出ブロック２０とを備えた側溝ブロック１００であって、本体ブロック１０と延出ブロック２０とを別体に形成し、本体ブロック１０の外側面にネジ孔１２を設け、延出ブロック２０に固定された係止部材２２に係止孔２１を設け、係止部材２２の側壁部がコンクリート打設時に当該コンクリートに覆われるようにして、係止部材２２は延出ブロック２０と一体化されており、係止孔２１に挿入され且つネジ孔１２に螺着されたボルトにより本体ブロック１０と延出ブロック２０とが一体化されている。【選択図】図１
0003210507.tif 000002
【実用新案登録請求の範囲】
【請求項１】
側溝部を有する本体ブロックと、当該本体ブロックの外側面から延出する延出ブロックとを備えた側溝ブロックであって、
前記本体ブロックと前記延出ブロックとを別体に形成し、
前記本体ブロックの外側面にネジ孔を設け、
前記延出ブロックに固定された係止部材に係止孔を設け、
前記係止部材の側壁部がコンクリート打設時に当該コンクリートに覆われるようにして、前記係止部材は前記延出ブロックと一体化されており、
前記係止孔に挿入され且つ前記ネジ孔に螺着されたボルトにより、前記本体ブロックと前記延出ブロックとが一体化されていることを特徴とする側溝ブロック。
【請求項２】
前記係止孔は、前記係止部材の立壁部に設けられ、
前記側壁部は、前記立壁部に隣接していることを特徴とする請求項１に記載の側溝ブロック。
【考案の詳細な説明】
【技術分野】
【０００１】
本考案は、側溝ブロックに関し、具体的には、側溝部を有する本体ブロックと、この本体ブロックの外側面に延出する延出ブロックとを備えた側溝ブロックに関する。
【背景技術】
【０００２】
側溝ブロックとしては、種々のものがあるが、例えば特許文献１に示すように、側溝部を有する本体ブロックと、この本体ブロックの外側面に延出する延出ブロックとを備えたものがある。このような側溝ブロックは、本体ブロックと延出ブロックとがそれぞれ別体として形成され、その後両者を結合している。結合の方法であるが、本体ブロックの外側面にネジ孔を、延出ブロックのネジ孔と対応する部位に係止孔を設け、係止孔に挿入されたボルトをネジ孔に螺着させることで、本体ブロックと延出ブロックとを一体化している。
【０００３】
また、延出ブロックの係止孔は、鋼板からなる係止部材に設けられており、当該係止部材は延出ブロックに固定されている。ただ、延出ブロックはコンクリート製であるから、その重量が大きく、結合箇所である係止部材には大きな負荷がかかる。そのため、係止部材と延出ブロックとの固定力が弱くなり、最悪の場合には、係止部材が外れてしまうという問題があった。
【先行技術文献】
【特許文献】
【０００４】
【特許文献１】特開平８−２７００６０
【考案の概要】
【考案が解決しようとする課題】
【０００５】
そこで、本考案は、上記問題に鑑み、係止部材と延出ブロックとの固定力を向上させた側溝ブロックを提供するものである。
【課題を解決するための手段】
【０００６】
上記課題を解決するために、本考案の側溝ブロックは、側溝部を有する本体ブロックと、当該本体ブロックの外側面から延出する延出ブロックとを備えた側溝ブロックであって、前記本体ブロックと前記延出ブロックとを別体に形成し、前記本体ブロックの外側面にネジ孔を設け、前記延出ブロックに固定された係止部材に係止孔を設け、前記係止部材の側壁部がコンクリート打設時に当該コンクリートに覆われるようにして、前記係止部材は前記延出ブロックと一体化されており、前記係止孔に挿入され且つ前記ネジ孔に螺着されたボルトにより前記本体ブロックと前記延出ブロックとが一体化されていることを特徴とする。
【０００７】
上記特徴によれば、係止部材の側壁部がコンクリート打設時に当該コンクリートに覆われるようにして、延出ブロックと強固に一体化している。そのため、延出ブロックの自重によって大きな負荷がかかっても、係止部材と延出ブロックの固定力は十分に維持され、係止部材が外れてしまうという問題も生じない。
【０００８】
さらに、本考案の側溝ブロックは、前記係止孔が前記係止部材の立壁部に設けられ、前記側壁部は、前記立壁部に隣接していることを特徴とする。
【０００９】
上記特徴によれば、ボルトによって本体ブロックと延出ブロックとを一体化した後、ボルトの頭部及び係止孔の周囲をモルタルで埋める場合に、立壁部の係止孔の周囲を埋めるために塗布されたモルタルは、立壁部に隣接する側壁部の周囲のコンクリートにも付着することができる。そして、モルタルのコンクリートへの付着性は、鋼板等の金属よりも良好であることから、モルタルが脱落することを効果的に防止できるのである。
【考案の効果】
【００１０】
本考案の側溝ブロックは、係止部材と延出ブロックとの固定力を向上させることができる。
【図面の簡単な説明】
【００１１】
【図１】本考案の側溝ブロックの全体斜視図である。
【図２】本考案の側溝ブロックの本体ブロックと延出ブロックを一体化する様子を示した拡大斜視図である。
【図３】（ａ）は本考案の延出ブロックの係止部材の全体斜視図、（ｂ）は当該係止部材の正面図、（ｃ）は当該係止部材の平面図である。
【図４】（ａ）は本考案の延出ブロックに一体化された係止部材周辺を拡大した斜視図、（ｂ）は当該係止部材周辺を拡大した正面図である。
【符号の説明】
【００１２】
１０          本体ブロック
１２          ネジ孔
２０          延出ブロック
２１          係止孔
２２          係止部材
２８          側壁部
３０          ボルト
１００        側溝ブロック
【考案を実施するための形態】
【００１３】
以下に、本考案の実施の形態について、図面を用いて説明する。
【００１４】
図１及び図２に、本考案に係る側溝ブロック１００の一実施例を示す。本体ブロック１０は、コンクリートによって下方に開口する略Ｕ字状の側溝部１１を有する形状であり、延出ブロック２０は、コンクリートによって本体ブロック１０とは別体の板状に形成されている。そして、本体ブロック１０の外側面には、コンクリート打設時に本体ブロック１０に埋設された雌ネジ部材１３によって構成されたネジ孔１２が設けられており、延出ブロック２０に固定された係止部材２２には、前記ネジ孔１２に対応する係止孔２１が設けられている。
【００１５】
ここで、ネジ孔１２は、本体ブロック１０の外側面の下部に設けられており、ボルト３０によって本体ブロック１０と延出ブロック２０とを一体化すると、本体ブロック１０の外側面下端から延出ブロック２０が延出する形状の側溝ブロック１００が形成される。
【００１６】
ところで、延出ブロック２０の係止孔２１は、鋼板等から形成されコンクリート打設時に延出ブロック２０に一体化された係止部材２２に設けられており、その形状は、係止孔２１の下部を構成するボルト３０の頭部３１より大きい大径部２３と、係止孔２１の上部を構成するボルト３０の軸部３２より大きく、ボルト３０の頭部３１より小さい小径部２４とから構成された形状となっている。
【００１７】
これにより、本体ブロック１０のネジ孔１２に延出ブロック２０の係止孔２１を位置合わせした後、ボルト３０を係止孔２１に挿入してネジ孔１２に螺着するといった作業の他にも、本体ブロック１０のネジ孔１２にボルト３０をその軸部３２が臨むようにして予め取り付けておき、このボルト３０の頭部３１に延出ブロック２０の係止孔２１の大径部２３を挿入した後に、延出ブロック２０全体を下降させるといった作業によっても、本体ブロック１０に延出ブロック２０を一体化することが可能となっている。この場合、ボルト３０をさらに増し締めすれば、本体ブロック１０と延出ブロック２０とをより一層堅固に一体化させることができる。
【００１８】
では次に、係止部材２２の構成について、図３を参照して詳しく説明する。図３に示すように、係止部材２２は、本体部２５と、当該本体部２５に固定されて側方に延出する棒状の固着部２９とからなり、さらに本体部２５は、板状の底壁部２７と、当該底壁部２７から略直角に上方に立設する立壁部２６と、前記立壁部２６と底壁部２７とに連結した側壁部２８とからなる。この立壁部２６には係止孔２１が形成されている。また、側壁部２８は、立壁部２６と底壁部２７とを強固に固定するもので略三角形状をした板状部材である。さらに、当該側壁部２８の外側面に溶接固定されている固着部２９は、その周囲にコンクリートが打設されて、係止部材２２が延出ブロック２０へ強固に固定するために用いられる。なお、係止部材２２全体は鋼板で形成されているが、これに限定されず、適宜最適な素材によって形成してもよい。
【００１９】
では次に、この係止部材２２を延出ブロック２０に一体化した状態について、図４を参照して詳しく説明する。延出ブロック２０を形成する型枠（不図示）に、係止部材２２を配置し、その状態でコンクリートを打設することで、図１及び図４に示すような、係止部材２２が一体化した延出ブロック２０が完成する。
【００２０】
図４に示すように、係止部材２２の固着部２９は、延出ブロック２０内部でコンクリートと強固に固着している。また、係止部材２２の立壁部２６はコンクリートで覆われておらず露出している。これは、立壁部２６の係止孔２１にボルトを挿通させるために、係止孔２１を塞がないためである。また、係止部材２２の底壁部２７もコンクリートで覆われておらず露出している。これは、立壁部２６の係止孔２１にボルト３０を挿通させるための作業空間を確保するためである。
【００２１】
また、係止部材２２の両側の側壁部２８は、それぞれコンクリートで覆われている。具体的には、コンクリート打設時に側壁部２８の周囲にもコンクリートが流れ込むようにする。すると、図４に示すように、側壁部２８の外側にはコンクリート２０ａが、側壁部２８の内側にはコンクリート２０ｂが流れ込んで固化しているので、側壁部２８全体はコンクリートで覆われ、延出ブロック２０へ強固に固着することになる。
【００２２】
このように本考案の側溝ブロック１００では、係止部材２２の側壁部２８がコンクリート打設時に当該コンクリートに覆われるようにして、延出ブロック２０と強固に一体化している。そのため、延出ブロック２０の自重によって大きな負荷がかかっても、係止部材２２と延出ブロック２０の固定力は十分に維持され、係止部材２２が外れてしまうという問題も生じない。
【００２３】
また、図２に示すように、ボルト３０によって本体ブロック１０と延出ブロック２０とを一体化した後、ボルト３０の頭部３１及び係止孔２１の周囲をモルタルで埋める場合がある。そして、図４に示すように、側壁部２８は、係止孔２１が設けられている立壁部２６と隣接しており、さらに、側壁部２８の周囲（特に、内側）はコンクリートで覆われている。そのため、立壁部２６の係止孔２１の周囲を埋めるために塗布されたモルタルは、立壁部２６に隣接する側壁部２８の周囲のコンクリートにも付着することができる。そして、モルタルのコンクリートへの付着性は、鋼板等の金属よりも良好であることから、モルタルが脱落することを効果的に防止できるのである。
【００２４】
なお、本考案の側溝ブロックは、上記の実施例に限定されず、特許請求の範囲に記載された範囲、実施形態の範囲で、種々の変形例、組み合わせが可能であり、これらの変形例、組み合わせもその権利範囲に含むものである。
【図１】
0003210507.tif 000003
【図２】
0003210507.tif 000004
【図３】
0003210507.tif 000005
【図４】
0003210507.tif 000006